(57)【要約】      （修正有）【課題】ユーザインタフェース画面を使用したユーザの接続操作の便宜を図ることができる接続制御装置および接続制御方法を提供する。【解決手段】コントロールパネル画面において、所定数のソース機器と所定数のデストネーション機器から任意のソース機器とデストネーション機器の組み合わせを指定して接続を操作するためのユーザインタフェース画面を表示する。このユーザインタフェース画面上の操作に基づいてソース機器とデストネーション機器の接続を制御する。ユーザインタフェース画面には、ソース機器とデストネーション機器との組み合わせが登録されたボタンＤｅｓｔ＿００１〜Ｄｅｓｔ＿００４が配置される。このボタンの操作があるとき、登録されている組み合わせのソース機器とデストネーション機器とが接続されるように制御する。【選択図】図４
2020025271.tif 000002
【特許請求の範囲】
【請求項１】
ネットワークに接続されたソース機器とデストネーション機器との接続を制御する接続制御装置であって、
ソース機器とデストネーション機器の所定の組み合わせを指定して接続を操作するための第１のユーザインタフェース画面を表示する表示制御部と、
上記第１のユーザインタフェース画面上の操作に基づいてソース機器とデストネーション機器の接続を制御する接続制御部を備え、
上記第１のユーザインタフェース画面には、ソース機器とデストネーション機器との組み合わせが登録された第１のボタンが配置され、
上記接続制御部は、
上記第１のユーザインタフェース画面の上記第１のボタンの操作があるとき、該第１のボタンに登録されている組み合わせのソース機器とデストネーション機器とが接続されるように制御し、
上記表示制御部は、上記第１のボタンの近傍に上記第１のボタンに登録されている組み合わせのソース機器とデストネーション機器を示す識別表示がされると共に、上記第１のボタンに登録されている組み合わせのソース機器とデストネーション機器を接続する操作があるとき、上記識別表示が接続状態を示す態様となるように制御する
接続制御装置。
【請求項２】
上記第１のユーザインタフェース画面には、ソース機器が登録された第２のボタンと、デストネーション機器が登録された第３のボタンがさらに配置され、
上記接続制御部は、
上記第２のボタンと上記第３のボタンの連続した操作があるとき、上記第２のボタンに登録されているソース機器と上記第３のボタンに登録されているデストネーション機器とが接続されるように制御する
請求項１に記載の接続制御装置。
【請求項３】
上記表示制御部は、
上記第１のユーザインタフェース画面に配置されるボタンを編集する第２のユーザインタフェース画面をさらに表示する
請求項２に記載の接続制御装置。
【請求項４】
上記第２のユーザインタフェース画面には、ルーティング画面と編集画面が含まれ、
上記ルーティング画面には、行列の一の方向に複数のソース機器が配置され、他の方向に複数のデストネーション機器が配置されており、
上記編集画面に、上記ルーティング画面が参照されて、上記第１のユーザインタフェース画面に配置されるボタンが作成される
請求項３に記載の接続制御装置。
【請求項５】
上記ルーティング画面のソース機器とデストネーション機器の所定の組み合わせに対応したクロスポイントが上記編集画面にドラッグアンドドロップされるとき、該編集画面に、該所定の組み合わせが登録された上記第１のボタンが作成され、
上記ルーティング画面の所定のソース機器が上記編集画面にドラッグアンドドロップされるとき、該編集画面に、該所定のソース機器が登録された上記第２のボタンが作成され、
上記ルーティング画面の所定のデストネーション機器が上記編集画面にドラッグアンドドロップされるとき、該編集画面に、該所定のデストネーション機器が登録された上記第３のボタンが作成される
請求項４に記載の接続制御装置。
【請求項６】
上記編集画面には、上記ドラッグアンドドロップされる位置として、ボタン作成位置を示すボタンブランク表示部が設けられる
請求項５に記載の接続制御装置。
【請求項７】
上記編集画面に設けられる上記ボタンブランク表示部は、該編集画面にボタンが作成されるとき、該作成されたボタンに隣接した位置に設けられる。
請求項６に記載の接続制御装置。
【請求項８】
上記編集画面に作成されている、上記ルーティング画面のソース機器とデストネーション機器の第１の組み合わせが登録された上記第１のボタンに、上記ルーティング画面のソース機器とデストネーション機器の第２の組み合わせに対応したクロスポイントがドラッグアンドドロップされるとき、該第１のボタンに、該第２の組み合わせがさらに登録される
請求項５に記載の接続制御装置。
【請求項９】
ネットワークに接続されたソース機器とデストネーション機器との接続を制御する接続制御方法であって、
ソース機器とデストネーション機器の所定の組み合わせを指定して接続を操作するための第１のユーザインタフェース画面を表示する表示制御ステップと、
上記第１のユーザインタフェース画面上の操作に基づいてソース機器とデストネーション機器の接続を制御する接続制御ステップを有し、
上記第１のユーザインタフェース画面には、ソース機器とデストネーション機器との組み合わせが登録された第１のボタンが配置され、
上記接続制御ステップでは、
上記第１のユーザインタフェース画面の上記第１のボタンの操作があるとき、該第１のボタンに登録されている組み合わせのソース機器とデストネーション機器とが接続されるように制御し、
上記表示制御ステップでは、上記第１のボタンの近傍に上記第１のボタンに登録されている組み合わせのソース機器とデストネーション機器を示す識別表示がされると共に、上記第１のボタンに登録されている組み合わせのソース機器とデストネーション機器を接続する操作があるとき、上記識別表示が接続状態を示す態様となるように制御する
接続制御方法。
【発明の詳細な説明】
【技術分野】
【０００１】
本技術は、接続制御装置および接続制御方法に関し、詳しくは、ネットワークに接続されたソース機器とデストネーション機器との接続を制御する接続制御装置および接続制御方法に関する。
【背景技術】
【０００２】
従来、スタジオ等において、映像信号を出力するソース機器と、映像信号を受け取って記録や表示を行うデストネーション機器とをイーサネットなどのネットワークに接続し、ソース機器とデストネーション機器との接続を、そのネットワークに接続されたパーソナルコンピュータやタブレット等から制御することが知られている。例えば、ソース機器はカメラや映像再生機器などであり、デストネーション機器はモニタや映像記録機器などである。
【０００３】
このような接続制御を、所定数のソース機器とデストネーション機器とから任意のソース機器とデストネーション機器の接続を操作するためのユーザインタフェース画面上で簡単に行い得るようにすることが考えられている。例えば、特許文献１には、ユーザインタフェース画面には、行列の一の方向に複数のソース機器（入力リソース）が配置され、他の方向に複数のデストネーション機器（出力リソース）が配置され、ユーザによる交点（クロスポイント）の指定により、所望の接続を達成できることが記載されている。
【先行技術文献】
【特許文献】
【０００４】
【特許文献１】特開２００４-０３２０４１号公報
【発明の概要】
【発明が解決しようとする課題】
【０００５】
本技術の目的は、ユーザインタフェース画面を使用したユーザの接続操作の便宜を図ることにある。
【課題を解決するための手段】
【０００６】
本技術の概念は、
ネットワークに接続されたソース機器とデストネーション機器との接続を制御する接続制御装置であって、
ソース機器とデストネーション機器の所定の組み合わせを指定して接続を操作するための第１のユーザインタフェース画面を表示する表示制御部と、
上記第１のユーザインタフェース画面上の操作に基づいてソース機器とデストネーション機器の接続を制御する接続制御部を備え、
上記第１のユーザインタフェース画面には、ソース機器とデストネーション機器との組み合わせが登録された第１のボタンが配置され、
上記接続制御部は、
上記第１のユーザインタフェース画面の上記第１のボタンの操作があるとき、該第１のボタンに登録されている組み合わせのソース機器とデストネーション機器とが接続されるように制御する
接続制御装置にある。
【０００７】
本技術は、ネットワークに接続されたソース機器とデストネーション機器との接続を制御する接続制御装置である。例えば、接続制御装置は、ネットワークに接続されるパーソナルコンピュータやタブレットなどで構成される。表示制御部により、ソース機器とデストネーション機器の所定の組み合わせを指定して接続を操作するための第１のユーザインタフェース画面が表示される。この第１のユーザインタフェース画面は、例えば、パーソナルコンピュータに接続されたモニタやタブレットの表示部に表示される。そして、接続制御部により、この第１のユーザインタフェース画面上の操作に基づいてソース機器とデストネーション機器の接続が制御される。
【０００８】
第１のユーザインタフェース画面には、ソース機器とデストネーション機器との組み合わせが登録された第１のボタンが配置される。接続制御部により、第１のユーザインタフェース画面上の第１のボタンの操作があるとき、この第１のボタンに登録されている組み合わせのソース機器とデストネーション機器とが接続されるように制御される。
【０００９】
このように本技術においては、第１のユーザインタフェース画面に配置されている第１のボタンが操作されるとき、この第１のボタンに登録されている組み合わせのソース機器とデストネーション機器とが接続されるものである。そのため、ユーザは、この第１のボタンに所望の組み合わせを登録しておくことで、その組み合わせのソース機器とデストネーション機器とを接続する操作を、この第１のボタンを操作するだけで簡単、かつ確実に行うことが可能となり、ユーザの便宜を図ることができる。
【００１０】
なお、本技術において、例えば、第１のユーザインタフェース画面には、ソース機器が登録された第２のボタンと、デストネーション機器が登録された第３のボタンがさらに配置され、接続制御部は、第２のボタンと第３のボタンの連続した操作があるとき、第２のボタンに登録されているソース機器と第３のボタンに登録されているデストネーション機器とが接続されるように制御する、ようにされてもよい。
【００１１】
また、本技術において、例えば、表示制御部は、第１のユーザインタフェース画面に配置されるボタンを編集する第２のユーザインタフェース画面をさらに表示する、ようにされてもよい。このように第２のユーザインタフェース画面が表示されることで、ユーザは、第１のユーザインタフェース画面に配置されるボタンの編集を容易に行うことができる。
【００１２】
この場合、例えば、第２のユーザインタフェース画面には、ルーティング画面と編集画面が含まれ、ルーティング画面には、行列の一の方向に複数のソース機器が配置され、他の方向に複数のデストネーション機器が配置されており、編集画面上に、ルーティング画面が参照されて、第１のユーザインタフェース画面に配置されるボタンが作成される、ようにされてもよい。このように第２のユーザインタフェース画面に編集画面と共にルーティング画面が含まれるものであり、ユーザは、編集画面へのボタンの作成を、ルーティング画面を参照して、ドラッグアンドドロップ等の簡単な操作で行うことが可能となる。
【００１３】
そして、この場合、例えば、ルーティング画面のソース機器とデストネーション機器の所定の組み合わせに対応したクロスポイントが編集画面にドラッグアンドドロップされるとき、この編集画面に、この所定の組み合わせが登録された第１のボタンが作成され、ルーティング画面の所定のソース機器が編集画面にドラッグアンドドロップされるとき、この編集画面に、この所定のソース機器が登録された第２のボタンが作成され、ルーティング画面の所定のデストネーション機器が編集画面にドラッグアンドドロップされるとき、この編集画面に、この所定のデストネーション機器が登録された第３のボタンが作成される、ようにされてもよい。
【００１４】
ここで、編集画面には、ドラッグアンドドロップされる位置として、ボタン作成位置を示すボタンブランク表示部が設けられる、ようにされてもよい。例えば、編集画面に設けられるボタンブランク表示部は、この編集画面にボタンが作成されるとき、この作成されたボタンに隣接した位置に設けられる、ようにされてもよい。このように編集画面にボタンブランク表示部が設けられることで、ユーザに新たにボタン作成ができることを明示でき、また、ユーザにドラッグアンドドロップのドロップ先を明示できる。
【００１５】
また、例えば、編集画面に作成されている、ルーティング画面のソース機器とデストネーション機器の第１の組み合わせが登録された第１のボタンに、ルーティング画面のソース機器とデストネーション機器の第２の組み合わせに対応したクロスポイントがドラッグアンドドロップされるとき、この第１のボタンに、この第２の組み合わせがさらに登録される、ようにされてもよい。この場合、第１のボタンに複数の組み合わせを登録することが容易に可能となる。
【発明の効果】
【００１６】
本技術によれば、ユーザインタフェース画面を使用したユーザの接続操作の便宜を図ることができる。なお、ここに記載された効果は必ずしも限定されるものではなく、本開示中に記載されたいずれかの効果であってもよい。
【図面の簡単な説明】
【００１７】
【図１】実施の形態としての映像システムの構成例を示すブロック図である。
【図２】接続制御装置を構成するパーソナルコンピュータの構成例を示すブロック図である。
【図３】接続制御装置を構成するパーソナルコンピュータにおけるＣＰＵの機能構成を示す図である。
【図４】ソース機器とデストネーション機器の所定の組み合わせを指定して接続を操作するためのユーザインタフェース画面の一つであるコントロールパネル画面の一例を示す図である。
【図５】複数の組み合わせが登録されているクロスポイントボタンの挙動の一例を示す図である。
【図６】ソースボタン、デストネーションボタンの挙動の一例を示す図である。
【図７】ソースボタン、デストネーションボタンの挙動の一例を示す図である。
【図８】ユーザインタフェース画面の一つであるエディットコントロールパネル画面の一例を示す図である。
【図９】任意のソース機器とデストネーション機器の組み合わせを指定して接続を操作するためのユーザインタフェース画面の一つであるセッションリスト画面の一例を示す図である。
【図１０】ユーザインタフェース画面の一つであるトポロジーマップ画面の一例を示す図である。
【発明を実施するための形態】
【００１８】
以下、発明を実施するための形態（以下、「実施の形態」とする）について説明する。なお、説明は以下の順序で行う。
１．実施の形態
２．変形例
【００１９】
＜１．実施の形態＞
［映像システム］
図１は、実施の形態としての放送局内の映像システム１０の構成例を示している。この映像システム１０は、スタジオ１内に配置されたソース機器およびデストネーション機器と、スタジオ２内に配置されたソース機器およびデストネーション機器からなっている。各機器は、放送局内のネットワークに接続されている。ここで、ソース機器は映像信号を出力する映像機器であって、例えば、カメラ、ＶＴＲ等の映像再生機器が該当する。デストネーション機器は、映像信号を受け取って記録や表示を行う映像機器であって、例えば、モニタ、ビデオサーバ等の映像記録機器が該当する。
【００２０】
スタジオ１には、カメラ１０１，１０２と、映像再生機器１０３と、モニタ１０４，１０５と、映像記録機器１０６と、スイッチングハブ１０７が配置されている。カメラ、映像再生機器、モニタ、映像記録機器の各機器はそれぞれネットワークケーブルを通じてスイッチングハブ１０７に接続されている。また、スタジオ２には、カメラ２０１，２０２と、モニタ２０３，２０４と、スイッチングハブ２０５が配置されている。カメラ、モニタの各機器はそれぞれネットワークケーブルを介してスイッチハブ２０５に接続されている。また、スタジオ１、スタジオ２の外部にスイッチングハブ３０１が配置されており、スタジオ１内のスイッチングハブ１０７およびスタジオ２内のスイッチングハブ２０５はそれぞれネットワークケーブルを介してスイッチングハブ３０１に接続されている。
【００２１】
この映像システム１０内のソース機器とデストネーション機器との接続の制御は、接続制御装置から放送局内のネットワークにアクセスすることで、可能とされている。接続制御装置は、例えば、パーソナルコンピュータやタブレットなどにより構成される。図示の例では、スタジオ１内に、例えば、カメラマンやディレクタが扱うタブレット１０８が示されている。また、図示の例では、スタジオ２内に、例えば、カメラマンやディレクタが扱うタブレット２０６が示されている。これらのタブレット１０８，２０６は、放送局内のネットワークに無線で接続される。
【００２２】
また、図示の例では、スタジオ１、スタジオ２の外部のスイッチングハブ３０１にネットワークケーブルを介して接続された、例えばディレクタが扱うパーソナルコンピュータ３０２が示されている。また、図示の例では、放送局の外部に、インターネット４０１を介してスイッチングハブ３０１に接続された、例えばディレクタが扱うパーソナルコンピュータ４０２が示されている。
【００２３】
接続制御装置（タブレット１０８，２０６、パーソナルコンピュータ３０２，４０２）は、モニタあるいは表示部に、放送局内のネットワークに接続されている所定数のソース機器と所定数のデストネーション機器から任意のソース機器とデストネーション機器の組み合わせを指定して接続を操作するためのユーザインタフェース画面を表示する。そして、接続制御装置は、そのユーザインタフェース画面上の操作に基づいて、指定された組み合わせのソース機器とデストネーション機器が接続されるように制御する。
【００２４】
図２は、接続制御装置としてのパーソナルコンピュータ３１０の構成例を示している。なお、タブレットの構成は、パーソナルコンピュータとほぼ同様の構成となるので、その説明は省略する。
【００２５】
パーソナルコンピュータ３１０は、ＣＰＵ（Central Processing Unit）３１１と、ＲＯＭ（Read Only Memory）３１２と、ＲＡＭ（Random Access Memory）３１３と、バス３１４と、入出力インタフェース３１５と、入力部３１６と、出力部３１７と、記憶部３１８と、ドライブ３１９と、イーサネットインタフェース（Ethernet I/F）３２０と、ネットワーク端子３２１とを有している。なお、「イーサネット」および「Ｅｔｈｅｒｎｅｔ」は登録商標である。
【００２６】
このパーソナルコンピュータ３１０において、ＣＰＵ３１１、ＲＯＭ３１２、ＲＡＭ３１３は、バス３１４により相互に接続されている。バス３１４には、さらに、入出力インタフェース３１５が接続されている。入出力インタフェース３１５には、入力部３１６、出力部３１７、記憶部３１８およびドライブ３１９が接続されている。
【００２７】
入力部３１６は、キーボード、マウス、マイクロホン等により構成されている。出力部３１７は、ディスプレイ、スピーカ等により構成されている。記憶部３１８は、ＨＤＤ(Hard Disk Drive)、不揮発性メモリ等により構成されている。ドライブ３１９は、磁気ディスク、光ディスク、光磁気ディスク、あるいはメモリカード等のリムーバブルメディアを駆動する。また、バス３１４には、イーサネットインタフェース３２０が接続されている。このイーサネットインタフェース３２０には、ネットワーク端子３２１が接続されている。
【００２８】
図２に示すパーソナルコンピュータ３１０では、ＣＰＵ３１１が、例えば、記憶部３１８に記憶されているプログラムを、入出力インタフェース３１５およびバス３１４を介して、ＲＡＭ３１３にロードして実行することにより、ユーザインタフェース画面の表示制御と、このユーザインタフェース画面上の操作に基づいてソース機器とデストネーション機器の接続制御を行う。この場合、ＣＰＵ３１１は、表示制御部および接続制御部を構成する。図３は、ＣＰＵ３１１の機能構成図を示している。すなわち、ＣＰＵ３１１は、表示制御部３１１ａと、接続制御部３１１ｂを有している。
【００２９】
［コントロールパネル（Control Panel）画面］
図４は、接続制御装置（タブレット１０８，２０６、パーソナルコンピュータ３０２，４０２）で表示される、ソース機器とデストネーション機器の所定の組み合わせを指定して接続を操作するためのユーザインタフェース画面の一つであるコントロールパネル画面の一例を示している。コントロールパネルは、複数枚の登録が可能とされている。矢印５００で示すボタンを操作し、プルダウンメニューから所望のコントロールパネルを選択することで、そのコントロールパネルを呼び出すことができる。図示の例では、「Panel_0001」が呼び出されている。また、このコントロールパネル画面は、矢印５０１で示すレバーを操作することで、ズーム表示が可能とされている。
【００３０】
このコントロールパネル画面には、矢印５０２で示すクロスポイント（XPT）ボタン（第１のボタン）と、矢印５０３で示すソース（SRC）ボタン（第２のボタン）と、矢印５０４で示すデストネーション（Dest）ボタン（第３のボタン）が配置されている。図示の例では、クロスポイントボタンとして、「XPT_01」、「XPT_02」、「XPT_03」、「XPT_04」の４つのボタンが配置されている。また、ソースボタンとして、「SRC_001」、「SRC_002」、「SRC_003」、「SRC_004」の４つのボタンが配置されている。さらに、デストネーションボタンとして、「Dest_001」、「Dest_002」、「Dest_003」、「Dest_004」の４つのボタンが配置されている。
【００３１】
クロスポイント（XPT）ボタンには、ソース機器とデストネーション機器との組み合わせ（クロスポイント）が予め登録されている。クロスポイントボタン「XPT_01」には、ソース機器「CAM 1」とデストネーション機器「MONI 01」の組み合わせと、ソース機器「CAM 2」とデストネーション機器「MONI 02」の組み合わせが登録されている。また、クロスポイントボタン「XPT_02」には、ソース機器「CAM 1」とデストネーション機器「MONI 03」の組み合わせと、ソース機器「CAM 2」とデストネーション機器「MONI 04」の組み合わせが登録されている。また、クロスポイントボタン「XPT_03」には、ソース機器「CAM 5」とデストネーション機器「MONI 08」の組み合わせが登録されている。さらに、クロスポイントボタン「XPT_04」には、ソース機器「CAM 6」とデストネーション機器「MONI 07」の組み合わせが登録されている。
【００３２】
一つの組み合わせのみ登録されているクロスポイントボタン（「XPT_03」、「XPT_04」）に関しては、操作される毎に、その一つの組み合わせがアクティブ状態となる第１の状態と、非アクティブ状態となる第２の状態に、交互に切り替わる。また、複数の組み合わせが登録されているクロスポイントボタン（「XPT_01」、「XPT_02」）に関しては、操作される毎に、全ての組み合わせがアクティブ状態となる第１の状態と、全ての組み合わせが非アクティブ状態となる第２の状態に、交互に切り替わる。
【００３３】
なお、複数の組み合わせが登録されているクロスポイントボタンに関しては、他の接続制御装置の制御により、一部の組み合わせのみがアクティブ状態となる第３の状態も考えられる。アクティブ状態となる組み合わせに関しては、その組み合わせのソース機器とデストネーション機器とが接続される。
【００３４】
ここで、全ての組み合わせがアクティブ状態にあるクロスポイントボタンと、全ての組み合わせが非アクティブ状態にあるクロスポイントボタンと、一部の組み合わせのみがアクティブ状態となっているクロスポイントボタンとは、互いに異なる表示状態とされる。
【００３５】
例えば、全ての組み合わせがアクティブ状態にあるクロスポイントボタンに関しては、クロスポイントボタン（「XPT_01」）のような表示となり、例えば、ユーザが設定した色相で彩度、輝度が高く表示され、しかも、組み合わせを示す文字などが強調表示された状態となる。また、例えば、全ての組み合わせが非アクティブ状態にあるクロスポイントボタンに関しては、クロスポイントボタン（「XPT_03」、「XPT_04」）のような表示となり、例えば、ユーザが設定した色相で彩度、輝度が低く表示される。
【００３６】
また、例えば、一部の組み合わせのみがアクティブ状態となっているクロスポイントボタンに関しては、クロスポイントボタン（「XPT_2」）のような表示となり、中間の表示状態となる。例えば、彩度、輝度が高い部分と低い部分とが交互に並んだハッチング状態とされる。あるいは、図示していないが、上半分が彩度、輝度が高い部分とされ、下半分が彩度、輝度が低い部分とされる。
【００３７】
図５は、複数の組み合わせが登録されているクロスポイントボタンの挙動の一例を示している。ここでは、クロスポイントボタン「XPT_02」が操作対象である。図５（ｃ）に示すように全ての組み合わせが非アクティブ状態にある第２の状態からボタン操作がなされると、図５（ｂ）に示すように全ての組み合わせがアクティブ状態にある第１の状態となる。また、この状態からボタン操作がなされると、図５（ｃ）に示すように全ての組み合わせが非アクティブ状態にある第１の状態となる。また、図５（ａ）に示すように一部の組み合わせのみがアクティブ状態にある第３の状態からボタン操作がなされると、図５（ｂ）に示すように、全ての組み合わせがアクティブ状態にある第１の状態となる。
【００３８】
図４に戻って、各ソース（SRC）ボタンには、それぞれ、一つのソース機器が予め登録されている。また、各デストネーション（Dest）ボタンには、それぞれ、一つのソース機器が予め登録されている。ソースボタンとデストネーションボタンとが連続して操作されるとき、それらのボタンに登録されているソース機器とデストネーション機器とがペアリングされた状態となって接続される。このようにペアリングされたボタンには、互いに相手側のボタン名（機器名）が表示される。
【００３９】
図６は、ソースボタン、デストネーションボタンの挙動の一例を示している。図６（ａ）に示すように、ソースボタンをアサインしたいデストネーションボタンとして、デストネーションボタン「Dest_001」が操作されたとする。このとき、図６（ｂ）に示すように、デストネーションボタン「Dest_001」の表示態様が変化し、例えば凹んだ状態となる。また、この際、デストネーションボタン「Dest_001」と現在ペアリング状態にあるソースボタンがあるときは、そのソースボタンが例えば発光した状態となる。図示の例では、ソースボタン「SRC_002」が発光した状態となる。
【００４０】
この状態で、図６（ｂ）に示すように、ソースボタン「SRC_001」が操作されると、このソースボタン「SRC_001」とデストネーションボタン「Dest_001」とがペアリングされ、それぞれに登録された機器同士が接続される状態となる。そして、このとき、ソースボタン「SRC_001」とデストネーションボタン「Dest_001」は、図６（ｃ）に示すように、例えば発光した状態となり、ペアリングされたことが示される。
【００４１】
なお、このとき、一つのデストネーションボタンには一つのソースボタンしかペアリングできないので、デストネーションボタン「Dest_001」とソースボタン「SRC_002」とのペアリングは解消される。
【００４２】
図７も、ソースボタン、デストネーションボタンの挙動の一例を示している。図７（ａ）に示すように、デストネーションボタンをアサインしたいソースボタンとして、ソースボタン「SRC_001」が操作されたとする。このとき、図７（ｂ）に示すように、ソースボタン「SRC_001」の表示態様が変化し、例えば凹んだ状態となる。
【００４３】
この状態で、図７（ｂ）に示すように、デストネーションボタン「Dest_001」が操作されると、このデストネーションボタン「Dest_001」」とソースボタン「SRC_001」とがペアリングされ、それぞれに登録された機器同士が接続される状態となる。そして、このとき、ソースボタン「SRC_001」とデストネーションボタン「Dest_001」は、図７（ｃ）に示すように、例えば発光した状態となり、ペアリングされたことが示される。なお、このとき、それまでペアリングされた状態にあったデストネーションボタン「Dest_001」とソースボタン「SRC_002」とのペアリングは解消される。
【００４４】
［エディットコントロールパネル（Edit Control Panel）画面］
図８は、接続制御装置（タブレット１０８，２０６、パーソナルコンピュータ３０２，４０２）で表示される、ユーザインタフェース画面の一つであるエディットコントロールパネル画面の一例を示している。このエディットコントロールパネル画面には、矢印６０１で示すルーティング画面と、矢印６０２で示す編集画面が同時に含まれている。ルーティング画面はエディットコントロールパネル画面の上側に配置され、編集画面はエディットコントロールパネル画面の下側に配置されている。なお、これらの画面配置は、この例に限定されない。
【００４５】
ルーティング画面は、ソース機器とデストネーション機器の所望の組み合わせの選択、ソース機器の選択、デストネーション機器の選択などを行うための画面である。このルーティング画面は、ワークグループ毎に存在する。矢印６０３で示すボタンを操作し、プルダウンメニューから所望のワークグループを選択することで、そのワークグループのルーティング画面を呼び出すことができる。図示の例では、「Workgroup_0001」が選択されている。また、このルーティング画面は、矢印６０４で示すレバーを操作することで、ズーム表示が可能とされている。
【００４６】
このルーティング画面には、複数のソース機器と複数のデストネーション機器とが行列状に配置されている。すなわち、このルーティング画面には、矢印６０５で示すように、上部水平方向に複数のソース機器が並べて配置される。この場合、各ソース機器はアイコンで表示され、機器名などの表示も可能とされている。なお、このアイコンは、ユーザが用意した任意の画像に差し替えることが可能とされる。
【００４７】
また、このルーティング画面には、矢印６０６で示すように、右部垂直方向に複数のデストネーション機器が並べて配置される。この場合、各デストネーション機器はアイコンで表示され、機器名などの表示も可能とされている。なお、このアイコンは、ユーザが用意した任意の画像に差し替えることが可能とされる。
【００４８】
編集画面６０２は、エディットコントロールパネル画面に配置されるボタン（クロスポイントボタン、ソースボタン、デストネーションボタン）を編集するための画面である。この編集画面には、矢印６０７で示すように、ボタン作成位置を示す矩形のボタンブランク表示部が破線で表示される。編集画面にボタンが作成されていない状態では、例えば１個だけ表示される。また、ボタンが作成された後は、図示のように、作成されたボタンを囲むようにボタンブランク表示部が複数表示された状態となる。なお、ボタンブランク部分の表示位置および表示個数は、この例に限定されない。
【００４９】
矢印Ｐ１で示すように、ルーティング画面のソース機器とデストネーション機器の所定の組み合わせに対応したクロスポイント（交点）が選択され、このクロスポイントが編集画面のボタンブランク表示部にドラッグアンドドロップされるとき、編集画面に、この所定の組み合わせが登録されたクロスポイントボタンが作成される。
【００５０】
なお、このようなクロスポイントのドラッグアンドドロップのドロップ先が編集画面の既に作成されているクロスポイントボタンであるとき、このクロスポイントボタンにソース機器とデストネーション機器の組み合わせが追加される。これにより、クロスポイントボタンには、ソース機器とデストネーション機器の組み合わせを複数登録することが可能とされている。
【００５１】
また、ルーティング画面において連続クリックで複数のクロスポイントの選択も可能とされており、その複数のクロスポイントが編集画面のボタンブランク表示部にドラッグアンドドロップされるとき、編集画面に、ソース機器とデストネーション機器の複数の組み合わせが登録されたクロスポイントボタンが作成される。
【００５２】
また、矢印Ｐ２で示すように、ルーティング画面の所定のソース機器が選択され、このソース機器が編集画面のボタンブランク表示部にドラッグアンドドロップされるとき、編集画面に、この所定のソース機器が登録されたソースボタンが作成される。さらに、矢印Ｐ３で示すように、ルーティング画面の所定のデストネーション機器が選択され、このデストネーション機器が編集画面のボタンブランク表示部にドラッグアンドドロップされるとき、編集画面に、この所定のデストネーション機器が登録されたデストネーションボタンが作成される。
【００５３】
編集画面に作成されたボタンが選択されるとき、そのボタンに対応したルーティング画面の対応する箇所が選択状態となる。つまり、図示しないが、この対応箇所の表示態様が選択状態を示すものとなる。例えば、編集画面に作成されたクロスポイントボタンが選択されるとき、このクロスポイントボタンに登録されているソース機器とデストネーション機器の組み合わせに対応したクロスポイントが選択状態となる。また、例えば、編集画面に作成されたソースボタンが選択されるとき、このソースボタンに登録されているソース機器が選択状態となる。これにより、ユーザは、編集画面に作成されたボタンの登録内容を確認することが可能とされている。
【００５４】
矢印６０８で示す操作ボタンは、編集画面に作成されたボタンを移動させるための上下左右の移動操作ボタンである。編集画面の所定のボタンが選択された後に、この移動操作ボタンが操作されることで、その所定のボタンの位置が移動される。なお、編集画面の所定のボタンが選択された後に、その所定のボタンがドラッグアンドドロップされことでも、その所定のボタンの位置が移動可能とされている。
【００５５】
ドロップ先がボタンブランク表示部であれば、その所定のボタンはそのボタンブランク表示部に移動される。この場合、所定のボタンがあった箇所は、例えば、ボタンブランク表示部となる。また、ドロップ先が他のボタンの位置であれば、その所定のボタンはその他のボタンの位置に移動される。この場合、他のボタンは、所定のボタンの位置に移動される。つまり、この場合は、所定のボタンと他のボタンの位置が交換されることとなる。
【００５６】
矢印６０９で示す操作ボタンは、編集画面に作成されたボタンを仕切る水平方向に延びるセパレータを設定するための水平セパレータ設定ボタンである。この水平セパレータ設定ボタンが選択され、編集画面にドラッグアンドドロップされることで、ドロップ先に水平セパレータが設定される。この場合、水平セパレータの長さは、作成されているボタンの範囲をカバーするように自動的に調整される。
【００５７】
矢印６１０で示す操作ボタンは、編集画面に作成されたボタンを仕切る垂直方向に延びるセパレータを設定するための垂直セパレータ設定ボタンである。この垂直セパレータ設定ボタンが選択され、編集画面にドラッグアンドドロップされることで、ドロップ先に垂直セパレータが設定される。この場合、垂直セパレータの長さは、作成されているボタンの範囲をカバーするように自動的に調整される。
【００５８】
編集画面のボタンブランク表示部が選択された状態で、矢印６１１で示す「Create New」ボタンが操作されることで、そのボタンブランク表示部にボタンが新規作成される。このように新規作成されるボタンのプロパティは、矢印６１２で示すプロパティ設定画面で設定可能とされる。なお、編集画面の所定のボタンが選択された状態では、このプロパティ設定画面でそのボタンのプロパティ設定が可能とされている。このプロパティ設定画面により、各ボタンの背景色や背景画像を設定することもできる。ボタンの背景画像をユーザが用意した任意の画像に差し替えることも可能とされている。
【００５９】
編集画面の所定のボタンが選択された状態で、矢印６１３で示す「Delete」ボタンが操作されることで、その所定のボタンが削除される。また、矢印６１４で示す「Revert」ボタンが操作されることで、編集画面に作成されている全てのボタンが削除される。また、矢印６１５で示す「Apply」ボタンが操作されることで、編集画面に作成された各ボタンが、呼び出されているコントロールパネルに登録される。
【００６０】
［セッションリスト（Session List）画面］
図９は、接続制御装置（タブレット１０８，２０６、パーソナルコンピュータ３０２，４０２）で表示される、任意のソース機器とデストネーション機器の組み合わせを指定して接続を操作するためのユーザインタフェース画面の一つであるセッションリスト画面の一例を示している。このセッションリスト画面は、ソース機器とデストネーション機器をそれぞれリスト表示して、クロスポイント（交点）を選択する最も原始的な画面である。
【００６１】
このセッションリスト画面は、ワークグループ毎に存在する。矢印８００で示すボタンを操作し、プルダウンメニューから所望のワークグループを選択することで、そのワークグループのセッションリスト画面を呼び出すことができる。図示の例では、「Workgroup_0001」が選択されている。
【００６２】
矢印８０１で示すように、画面の左側上部には、ネットワークに接続されているソース機器とデストネーション機器のリストがそれぞれ表示されている。このリストで、ソース機器とデストネーション機器の組み合わせを選択した後、矢印８０２で示す「登録」ボタンを操作することで、その組み合わせを登録できる。この登録に基づいて、ソース機器とデストネーション機器との接続が制御される。
【００６３】
矢印８０３で示される表示は、登録されたソース機器とデストネーション機器の組み合わせを示している。なお、登録されたソース機器とデストネーション機器の組み合わせの一つを選択した後、矢印８０４で示す「呼出」ボタンを操作することで、その組み合わせをリストに呼び出すことができる。画面の右側には、矢印８０５で示すように、現在アクティブになっている、つまり接続されているソース機器とデストネーション機器との組み合わせが表示される。
【００６４】
図１０は、接続制御装置（タブレット１０８，２０６、パーソナルコンピュータ３０２，４０２）で表示される、ユーザインタフェース画面の一つであるトポロジーマップ（Topology map）画面の一例を示している。この画面は、ネットワークの接続状態と各端子にかかる負荷を一覧することができる画面である。この例は、ソース機器としての複数台のカメラと、デストネーション機器しての１台のモニタと、２台のスイッチングハブ（ネットワークスイッチ）によりネットワークが構成されている場合を示している。
【００６５】
矢印９００で示すように、スイッチングハブの入出力の各端子に対応して負荷表示部が設けられており、ここに、各端子における負荷が横棒（例えば緑色のバー）の積み重ね量によって表示される。ユーザは、このトポロジーマップ画面により現在のネットワークの接続状態を閲覧することが可能となる。また、ユーザは、このトポロジーマップ画面によりスイッチングハブの入出力の各端子における負荷の状態を閲覧でき、負荷が高い場合には、その端子に接続されるケーブルを、帯域を十分に確保できるような太いケーブルに取り換えるなどの処置を講じることが可能となる。
【００６６】
なお、このトポロジーマップ画面において、各機器の表示部分をマウスクリックすることで、その機器のプロパティの表示が可能となる。図示の例では、矢印９０１で示すように、カメラ２（Camera 2）のプロバティが表示されている。
【００６７】
上述したように、図１に示す映像システム１０において、接続制御装置（タブレット１０８，２０６、パーソナルコンピュータ３０２，４０２）は、ユーザインタフェース画面としてコントロールパネル画面（図４参照）を表示できる。そして、ユーザは、クロスポイント（XPT）ボタンを操作することで、そのボタンに登録されている組み合わせのソース機器とデストネーション機器とを接続する操作を行うことができる。また、ユーザは、ソース（SRC）ボタンとデストネーション（Dest）ボタンを連続して操作することで、登録されているソース機器とデストネーション機器とを接続する操作を行うことができる。したがって、ユーザは、所望の接続操作を簡単、かつ確実に行うことが可能となり、ユーザの便宜を図ることができる。
【００６８】
＜２．変形例＞
なお、上述実施の形態においては、本技術を放送局内の映像システムに適用した例を示した。本技術は、医療あるいは教育などにおける同様の映像システムにも同様に適用できることは勿論である。
【００６９】
また、本技術は、以下のような構成を取ることもできる。
（１）ネットワークに接続されたソース機器とデストネーション機器との接続を制御する接続制御装置であって、
ソース機器とデストネーション機器の所定の組み合わせを指定して接続を操作するための第１のユーザインタフェース画面を表示する表示制御部と、
上記第１のユーザインタフェース画面上の操作に基づいてソース機器とデストネーション機器の接続を制御する接続制御部を備え、
上記第１のユーザインタフェース画面には、ソース機器とデストネーション機器との組み合わせが登録された第１のボタンが配置され、
上記接続制御部は、
上記第１のユーザインタフェース画面の上記第１のボタンの操作があるとき、該第１のボタンに登録されている組み合わせのソース機器とデストネーション機器とが接続されるように制御する
接続制御装置。
（２）上記第１のユーザインタフェース画面には、ソース機器が登録された第２のボタンと、デストネーション機器が登録された第３のボタンがさらに配置され、
上記接続制御部は、
上記第２のボタンと上記第３のボタンの連続した操作があるとき、上記第２のボタンに登録されているソース機器と上記第３のボタンに登録されているデストネーション機器とが接続されるように制御する
前記（１）に記載の接続制御装置。
（３）上記表示制御部は、
上記第１のユーザインタフェース画面に配置されるボタンを編集する第２のユーザインタフェース画面をさらに表示する
前記（２）に記載の接続制御装置。
（４）上記第２のユーザインタフェース画面には、ルーティング画面と編集画面が含まれ、
上記ルーティング画面には、行列の一の方向に複数のソース機器が配置され、他の方向に複数のデストネーション機器が配置されており、
上記編集画面に、上記ルーティング画面が参照されて、上記第１のユーザインタフェース画面に配置されるボタンが作成される
前記（３）に記載の接続制御装置。
（５）上記ルーティング画面のソース機器とデストネーション機器の所定の組み合わせに対応したクロスポイントが上記編集画面にドラッグアンドドロップされるとき、該編集画面に、該所定の組み合わせが登録された上記第１のボタンが作成され、
上記ルーティング画面の所定のソース機器が上記編集画面にドラッグアンドドロップされるとき、該編集画面に、該所定のソース機器が登録された上記第２のボタンが作成され、
上記ルーティング画面の所定のデストネーション機器が上記編集画面にドラッグアンドドロップされるとき、該編集画面に、該所定のデストネーション機器が登録された上記第３のボタンが作成される
前記（４）に記載の接続制御装置。
（６）上記編集画面には、上記ドラッグアンドドロップされる位置として、ボタン作成位置を示すボタンブランク表示部が設けられる
前記（５）に記載の接続制御装置。
（７）上記編集画面に設けられる上記ボタンブランク表示部は、該編集画面にボタンが作成されるとき、該作成されたボタンに隣接した位置に設けられる。
前記（６）に記載の接続制御装置。
（８）上記編集画面に作成されている、上記ルーティング画面のソース機器とデストネーション機器の第１の組み合わせが登録された上記第１のボタンに、上記ルーティング画面のソース機器とデストネーション機器の第２の組み合わせに対応したクロスポイントがドラッグアンドドロップされるとき、該第１のボタンに、該第２の組み合わせがさらに登録される
前記（５）から（７）のいずれかに記載の接続制御装置。
（９）ネットワークに接続されたソース機器とデストネーション機器との接続を制御する接続制御方法であって、
ソース機器とデストネーション機器の所定の組み合わせを指定して接続を操作するための第１のユーザインタフェース画面を表示する表示制御ステップと、
上記第１のユーザインタフェース画面上の操作に基づいてソース機器とデストネーション機器の接続を制御する接続制御ステップを有し、
上記第１のユーザインタフェース画面には、ソース機器とデストネーション機器との組み合わせが登録された第１のボタンが配置され、
上記接続制御ステップでは、
上記第１のユーザインタフェース画面の上記第１のボタンの操作があるとき、該第１のボタンに登録されている組み合わせのソース機器とデストネーション機器とが接続されるように制御する
接続制御方法。
【符号の説明】
【００７０】
１０・・・映像システム
１０１，１０２，２０１，２０２・・・カメラ
１０３・・・映像再生機器
１０４，１０５，２０３，２０４・・・モニタ
１０６・・・映像記録機器
１０７，２０５，３０１・・・スイッチングハブ
１０８，２０６・・・タブレット
３０２，３１０,４０２・・・パーソナルコンピュータ
４０１・・・インターネット
【図１】
2020025271.tif 000003
【図２】
2020025271.tif 000004
【図３】
2020025271.tif 000005
【図４】
2020025271.tif 000006
【図５】
2020025271.tif 000007
【図６】
2020025271.tif 000008
【図７】
2020025271.tif 000009
【図８】
2020025271.tif 000010
【図９】
2020025271.tif 000011
【図１０】
2020025271.tif 000012